(57)【特許請求の範囲】
【請求項１】
長尺形状の照明器具であって、長尺形状の開口穴が設けられた取付面に埋め込んで取り付け、上記開口穴の周囲に設けられた取付枠に固定する取付方式と、上記開口穴の奥に設けられたアンカーボルトに固定する取付方式との２種類の取付方式による取付が可能な照明器具において、
上記照明器具の長手方向に線状に配置された複数の光源と、
上記複数の光源の後方に配置され、上記複数の光源を点灯する電力を上記複数の光源に対して供給する電源部と、
上記複数の光源が固定され、上記照明器具の幅方向における上記電源部の側方を覆い、上記複数の光源で発生した熱を放熱する放熱部と、
上記放熱部に固定され、上記複数の光源の前方と、上記照明器具の長手方向における上記複数の光源の側方とを覆うカバー部と、
上記電源部が固定され、上記電源部の後方を覆う長尺板状のケース基部であって、上記アンカーボルトを挿通させるボルト挿通穴を有するケース基部と、
上記ケース基部に固定され、あるいは上記ケース基部と一体に成形され、上記照明器具の長手方向における上記電源部の側方を覆うケース側部であって、上記カバー部を固定するカバー固定部と、上記照明器具を上記取付枠に取り付ける枠取付部とを備えるケース側部とを有することを特徴とする照明器具。
【請求項２】
上記ケース側部は、上記ケース基部とは別に設けられた部品であって、
上記ケース基部の長手方向における端部に重なる略長方形板状の取付基部であって、上記アンカーボルトを挿通させるボルト挿通穴を備える取付基部と、
上記枠取付部と、
上記カバー固定部と、
上記カバー固定部と上記取付基部とを接続するとともに、上記照明器具の長手方向における上記電源部の側方を覆う取付接続部とを有することを特徴とする請求項１に記載の照明器具。
【請求項３】
上記放熱部は、
上記複数の光源と上記電源部との間に位置し、上記複数の光源で発生した熱を受け取る長尺板状の放熱基部であって、上記取付接続部を挿通させる接続挿通穴を備える放熱基部と、
上記照明器具の幅方向における上記電源部の側方を覆う放熱側部とを有することを特徴とする請求項２に記載の照明器具。
【請求項４】
上記カバー部は、
上記複数の光源の前方を覆うカバー基部であって、上記複数の光源が放射した光を通す開口部もしくは透光部を備えるカバー基部と、
上記カバー基部に固定され、あるいは上記カバー基部と一体に成形され、上記照明器具の長手方向における上記複数の光源の側方を覆うカバー側部であって、上記放熱部に固定される放熱固定部を備えるカバー側部とを有することを特徴とする請求項１乃至請求項３のいずれかに記載の照明器具。
【請求項５】
上記ケース基部及び上記ケース側部のうち少なくともいずれかは、上記放熱部の一部を覆い、
上記放熱部は、上記ケース基部及び上記ケース側部のいずれにも覆われず露出した部分を有することを特徴とする請求項１乃至請求項４のいずれかに記載の照明器具。
【発明の詳細な説明】
【技術分野】
【０００１】
この発明は、取付面に埋め込んで取り付けられる照明器具に関する。
【背景技術】
【０００２】
照明器具を構成する部品には、電源部を火災などから防護するための防護部、照明器具をアンカーボルトなどに取り付けるための取付部など、様々なものがある。
特に、取付部は、取付時の寸法調整などが可能な構成とする必要があるため、部品数が多くなり、取付時の作業が複雑化する傾向がある。また、取り付ける場所により、取付方式を変える必要がある場合もある。
【先行技術文献】
【特許文献】
【０００３】
【特許文献１】特開平９−１９８９１４号公報
【特許文献２】実公平７−１６２５４号公報
【特許文献３】特開平１０−１３４６２０号公報
【発明の概要】
【発明が解決しようとする課題】
【０００４】
照明器具を構成する部品が多いため、製造工程が複雑化する。
また、ＬＥＤなどの光源は、温度上昇により光性能の低下、短寿命化などが発生するので、光源で発生した熱を効率よく放熱する必要がある。
この発明は、例えば上記のような課題を解決するためになされたものであり、照明器具を構成する部品の数を減らし、取付時の作業効率を高めるとともに、光源の放熱を良くすることを目的とする。
【課題を解決するための手段】
【０００５】
この発明にかかる照明器具は、長尺形状の照明器具であって、長尺形状の開口穴が設けられた取付面に埋め込んで取り付け、上記開口穴の周囲に設けられた取付枠に固定する取付方式と、上記開口穴の奥に設けられたアンカーボルトに固定する取付方式との２種類の取付方式による取付が可能な照明器具において、上記照明器具の長手方向に線状に配置された複数の光源と、上記複数の光源の後方に配置され、上記複数の光源を点灯する電力を上記複数の光源に対して供給する電源部と、上記複数の光源が固定され、上記照明器具の幅方向における上記電源部の側方を覆い、上記複数の光源で発生した熱を放熱する放熱部と、上記放熱部に固定され、上記複数の光源の前方と、上記照明器具の長手方向における上記複数の光源の側方とを覆うカバー部と、上記電源部が固定され、上記電源部の後方を覆う長尺板状のケース基部であって、上記アンカーボルトを挿通させるボルト挿通穴を有するケース基部と、上記ケース基部に固定され、あるいは上記ケース基部と一体に成形され、上記照明器具の長手方向における上記電源部の側方を覆うケース側部であって、上記カバー部を固定するカバー固定部と、上記照明器具を上記取付枠に取り付ける枠取付部とを備えるケース側部とを有することを特徴とする。
【発明の効果】
【０００６】
この発明にかかる照明器具によれば、照明器具を構成する部品の数が少なく、取付時の作業効率が高くなるとともに、光源の放熱効率がよくなる。
【図面の簡単な説明】
【０００７】
【図１】実施の形態１における照明器具１００の外観を示す斜視図。
【図２】実施の形態１における照明器具１００の裏側を示す斜視図。
【図３】実施の形態１におけるカバー６００の構造を示す正視図。
【図４】実施の形態１における端部カバー７００の構造を示す正視図及び斜視図。
【図５】実施の形態１におけるヒートシンク５００の構造を示す正視図。
【図６】実施の形態１における反射部４００の構造を示す正視図。
【図７】実施の形態１におけるケース２００の構造を示す正視図。
【図８】実施の形態１における天井取付部３００の構造を示す正視図。
【図９】実施の形態１における照明器具１００の本体部分の構造を示す部分拡大断面図。
【図１０】実施の形態１における照明器具１００の本体部分を枠取付方式によって取り付けた様子を示す拡大断面図。
【図１１】実施の形態１における照明器具１００の本体部分をアンカーボルト取付方式によって取り付けた様子を示す拡大断面図。
【図１２】実施の形態１における照明器具１００の光源部分及びカバー部分を示す部分拡大断面図。
【図１３】実施の形態１における照明器具１００を示す部分拡大断面図。
【図１４】実施の形態１における照明器具１００の周辺における空気の流れを示す図。
【図１５】実施の形態２における照明器具１００を示す拡大断面図。
【発明を実施するための形態】
【０００８】
実施の形態１．
実施の形態１について、図１〜図１４を用いて説明する。
【０００９】
図１は、この実施の形態における照明器具１００の外観を示す斜視図である。
照明器具１００は、例えば天井などの取付面に取り付けて使用する照明器具である。照明器具１００は、長尺形状であり、取付面に設けられた長尺形状の開口穴に、半分埋め込んだ形で取り付けられる。照明器具１００は、複数（例えば２４個）の光源（例えばＬＥＤ）が長手方向に線状に並べて配置されている。照明器具１００は、反射部４００、カバー６００、端部カバー７００、雄ネジ９０１などを有する。
反射部４００は、各光源にそれぞれ対応する形状を有する反射面を有する。反射部４００は、光源が放射した光のうち側方に放射された光を反射して、光源の前方に向かわせる。
カバー６００及び端部カバー７００は、取付面の外側に露出する外観意匠面を形成する。カバー６００は、光源の前方と、照明器具１００の幅方向における光源の側方とを覆う。端部カバー７００は、照明器具１００の長手方向における光源の側方を覆う。なお、カバー６００と、端部カバー７００とは、別部品であってもよいし、一体に形成されたものであってもよい。
雄ネジ９０１は、カバー６００を照明器具１００の本体に固定する。
【００１０】
照明器具１００の取付方式には、アンカーボルトに取り付けるアンカーボルト取付方式と、取付枠に取り付ける枠取付方式とがある。照明器具１００は、どちらの取付方式でも取付が可能である。
アンカーボルト取付方式は、取付面の開口穴の奥にある建物の躯体などに設けられたアンカーボルトに対して、ナットなどを用いて照明器具１００を固定する方式である。
枠固定方式は、取付面の開口穴の周囲に設けられた木枠などの取付枠に対して、木ネジなどを用いて照明器具１００を固定する方式である。枠固定方式は、主に、アンカーボルトが設けられていない場所に照明器具１００を取り付ける場合に用いられる。
【００１１】
図２は、この実施の形態における照明器具１００の裏側を示す斜視図である。
照明器具１００は、更に、ヒートシンク５００、ケース２００、天井取付部３００などを有する。
ヒートシンク５００（放熱部）は、光源で発生した熱を放熱する。光源モジュール（図示せず）は、ヒートシンク５００に固定されている。光源モジュールは、例えば熱伝導率が高い材料によって形成された基板に、複数の光源を実装したものである。
ケース２００は、ヒートシンク５００との間に空間を形成する。ケース２００とヒートシンク５００との間に形成された空間には、電源部（図示せず）が配置されている。電源部は、例えば商用電源などの交流電源やバッテリーなどの直流電源から電力の供給を受けて、光源を点灯するための電力を生成し、光源に対して供給する。電源部は、ケース２００に固定されている。
天井取付部３００は、電源部が存在する空間の端（照明器具１００の長手方向における側方）を覆って、火災などから電源部を防御する。天井取付部３００は、ケース２００の両端に１つずつ、合計２つ配置されている。また、天井取付部３００は、アンカーボルト取付方式においてアンカーボルトの先端を挿通するボルト挿通穴や、枠取付方式において木ネジを通すネジ挿通穴や、カバー６００を固定する雄ネジ９０１と螺合するネジ穴などを有する。なお、ケース２００と天井取付部３００とは、別部品であってもよいし、一体に形成されたものであってもよい。
【００１２】
図３は、この実施の形態におけるカバー６００の構造を示す正視図である。
正視図は、平面図、正面図、右側面図、底面図を示している。背面図及び左側面図は、正面図及び右側面図とそれぞれ同じなので省略している。なお、中間部分は、省略している。
カバー６００は、例えば板金などの略長方形の板を折り曲げた形状である。カバー６００は、カバー基部６１０、カバー翼部６２０、カバー折曲部６３０を有する。
カバー基部６１０は、略長方形板状であり、照明器具１００において、光源の前方を覆う部分である。カバー基部６１０は、取付固定部６１１、開口部６１２を有する。取付固定部６１１は、雄ネジ９０１を取り付けるための部分である。取付固定部６１１は、雄ネジ９０１の頭が突出しないよう摺り鉢状に形成され、雄ネジ９０１の軸を挿通するための貫通穴を有する。開口部６１２は、反射部４００の一部を露出させ、光源が放射した光を外部に放射するための略長方形の貫通穴である。
カバー翼部６２０は、左右に１つずつ、合計２つある。カバー翼部６２０は、カバー６００の幅方向においてカバー基部６１０の対辺それぞれから連続した略長方形板状である。カバー翼部６２０は、カバー基部６１０に対し、取付面のほうへ向かって角度を有する。カバー翼部６２０は、照明器具１００の幅方向において、光源の側方を覆う部分である。
カバー折曲部６３０は、カバー翼部６２０に対応して左右に１つずつ、合計２つある。カバー折曲部６３０は、カバー６００の幅方向において、カバー翼部６２０のカバー基部６１０に連続した辺の対辺から連続した細長い略長方形板状である。カバー折曲部６３０は、カバー翼部６２０に対し、カバー６００の中心のほうへ向かって角度を有する。カバー折曲部６３０は、カバー６００に強度を持たせるための部分である。
【００１３】
図４は、この実施の形態における端部カバー７００の構造を示す正視図及び斜視図である。
正視図は、平面図、正面図、右側面図、底面図を示している。背面図及び左側面図は、正面図及び右側面図とそれぞれ同じなので省略している。
この例において、端部カバー７００は、カバー６００とは別部品として構成され、カバー６００に対して固定されている。
端部カバー７００は、例えば板金などの板を折り曲げた形状である。端部カバー７００は、カバー側部７１０、カバー側翼部７２０、カバー側底部７３０、カバー接続部７４０、放熱固定部７５０を有する。
カバー側部７１０は、例えば略等脚台形板状であり、カバー６００のカバー基部６１０とカバー翼部６２０とがなす台形に対応して、カバー６００の長手方向先端に係合する形状である。
カバー側翼部７２０は、左右に１つずつ、合計２つある。カバー側翼部７２０は、カバー側部７１０の平行でない対辺それぞれから連続した略長方形板状である。カバー側翼部７２０は、カバー翼部６２０の内側に沿うように形成されている。カバー側翼部７２０は、カバー翼部６２０及びカバー折曲部６３０と係合する。
カバー側底部７３０は、カバー側部７１０の平行な対辺のうち短いほうの辺から連続した略凸字板状である。カバー側底部７３０は、カバー基部６１０の内側に沿うように形成されている。
カバー接続部７４０は、カバー側底部７３０のカバー側部７１０に連続した辺の対辺から連続した略長方形板状である。カバー接続部７４０は、カバー側底部７３０に対して、略垂直である。カバー接続部７４０は、カバー側底部７３０と放熱固定部７５０とを接続する。
放熱固定部７５０は、カバー接続部７４０のカバー側底部７３０に連続した辺の対辺から連続した略長方形板状である。放熱固定部７５０は、カバー接続部７４０に対して略垂直であり、カバー側底部７３０に対して略平行である。放熱固定部７５０は、端部カバー７００にヒートシンク５００を固定するための部分である。放熱固定部７５０は、例えば２つのネジ穴７５１を有する。ネジ穴７５１は、端部カバー７００にヒートシンク５００を固定するためのネジと螺合する。
【００１４】
図５は、この実施の形態におけるヒートシンク５００の構造を示す正視図である。
正視図は、平面図、正面図、右側面図、底面図を示している。背面図及び左側面図は、正面図及び右側面図とそれぞれ同じなので省略している。なお、中間部分は、省略している。
ヒートシンク５００は、熱伝導率の高い金属などにより形成されている。ヒートシンク５００は、略コ字状の断面を有する。ヒートシンク５００は、放熱基部５１０、放熱側部５２０を有する。
放熱基部５１０は、略長方形板状である。放熱基部５１０は、ネジ穴５１１，５１２、接続挿通穴５１３を有する。ネジ穴５１１は、放熱基部５１０に反射部４００を固定するためのネジと螺合する。反射部４００は、放熱基部５１０との間に光源モジュールを挟んだ状態で、放熱基部５１０に固定される。これにより、光源モジュールの裏側の面が放熱基部５１０に密着し、光源で発生した熱が、放熱基部５１０に伝わる。なお、光源モジュールと放熱基部５１０との間に伝熱シートなどの伝熱材を挟んでもよい。ネジ穴５１２は、放熱基部５１０を放熱固定部７５０に固定するためのネジと螺合する。接続挿通穴５１３は、後述する天井取付部３００の取付接続部３６０を挿通させるための貫通穴である。接続挿通穴５１３は、方形開口部５１４と、半長円形開口部５１５とを有する。方形開口部５１４は、略長方形状である。半長円形開口部５１５は、略半長円形状であり、方形開口部５１４と連続している。半長円形開口部５１５は、電源部から光源モジュールに電力を供給するための配線を通す。
放熱側部５２０は、左右に１つずつ、合計２つある。放熱側部５２０は、略凸字板状である。放熱側部５２０は、放熱基部５１０の幅方向における対辺から連続している。放熱側部５２０は、放熱基部５１０に対して略垂直である。放熱側部５２０は、放熱基部５１０が受け取った熱を空気中に放熱する。放熱側部５２０は、幅側方覆部５２１と、先端側部５２２とを有する。幅側方覆部５２１は、略長方形板状であり、照明器具１００の幅方向における電源部の側方を覆う。先端側部５２２は、１つの放熱側部５２０につき、長手方向両端に１つずつ、合計２つある。先端側部５２２は、幅側方覆部５２１よりも高さが低い略長方形板状である。
【００１５】
図６は、この実施の形態における反射部４００の構造を示す正視図である。
正視図は、正面図、右側面図、底面図を示している。背面図及び左側面図は、正面図及び右側面図とそれぞれ同じなので省略している。
反射部４００は、複数（例えば１２個）の光源開口部４１０、複数の反射面部４２０、反射固定部４３０などを有する。
光源開口部４１０は、光源モジュールの光源の位置に対応して設けられている。
反射面部４２０は、光源開口部４１０の周囲に設けられていて、光源が放射した光を反射する。
反射固定部４３０は、反射部４００をヒートシンク５００に固定するための部分であり、例えば、反射部４００をヒートシンク５００に固定するためのネジと螺合するネジ穴である。反射固定部４３０は、ヒートシンク５００のネジ穴５１１に対応する位置に設けられている。反射固定部４３０に螺合したネジは、ネジ穴５１１にも螺合して、反射部４００をヒートシンク５００に固定する。
光源モジュールは、反射部４００とヒートシンク５００との間に挟まれた位置に固定される。光源モジュールは、反射部４００と同じ数（例えば１２個）の光源を有する。光源モジュールの光源の発光部分は、光源開口部４１０から反射面部４２０に囲まれた空間のなかに挿入され、反射面部４２０に囲まれた空間のなかで発光する。これにより、光源が放射した光を無駄なく、外部に放射することができる。
この例において、照明器具１００は、２つの光源モジュールと、それに対応する反射部４００とを有し、光源モジュール１つ当たりの光源の数（例えば１２個）の２倍の数（例えば２４個）の光源を有する。照明器具１００が有する光源モジュールの数は、２つに限らず、１つでもよいし、３つ以上でもよい。これにより、光源モジュール１つ当たりの光源の数の整数倍の数を有する照明器具１００を、容易に設計製造することができる。
【００１６】
図７は、この実施の形態におけるケース２００の構造を示す正視図である。
正視図は、平面図、正面図、右側面図、底面図を示している。背面図及び左側面図は、正面図及び右側面図とそれぞれ同じなので省略している。なお、中間部分は、省略している。
ケース２００は、電源部を固定するとともに、電源部の背面を覆う。ケース２００は、例えば板金などの板を折り曲げた形状であり、略コ字状の断面を有する。ケース２００をヒートシンク５００と向かい合わせて配置することにより、内部に電源部を入れる空間が形成される。ケース２００は、ケース基部２１０、ケース翼部２２０、ケース折曲部２３０などを有する。
ケース基部２１０は、略長方形板状である。ケース基部２１０は、ネジ穴２１１、ボルト挿通穴２１２を有する。ネジ穴２１１は、ケース２００に天井取付部３００を固定するためのネジと螺合する。ボルト挿通穴２１２は、アンカーボルト取付方式の場合に、アンカーボルトの先端を挿通するための貫通穴である。
ケース翼部２２０は、左右に１つずつ、合計２つある。ケース翼部２２０は、略長方形板状であり、ケース基部２１０の幅方向の対辺から連続している。ケース翼部２２０は、ケース基部２１０に対して略垂直である。
ケース折曲部２３０は、ケース翼部２２０に対応して左右に１つずつ、合計２つあり、ケース翼部２２０のケース基部２１０に連続した辺の対辺から連続している。ケース折曲部２３０は、ケース翼部２２０の一辺を内側に丸く折り曲げた形状である。
【００１７】
図８は、この実施の形態における天井取付部３００の構造を示す正視図である。
正視図は、平面図、正面図、右側面図、背面図、底面図を示している。左側面図は、右側面図と同じなので省略している。
この例において、天井取付部３００は、ケース２００とは別部品として構成され、ケース２００に対して固定される。
天井取付部３００は、例えば板金などの板を折り曲げた形状である。天井取付部３００は、取付基部３１０、取付翼部３２０、枠取付部３３０、取り付け折曲部３４０、長手側方覆部３５０、取付接続部３６０、カバー固定部３７０などを有する。
取付基部３１０は、略長方形板状である。取付基部３１０は、ケース基部２１０の長手方向先端に重ねて配置される。取付基部３１０は、ネジ穴３１１、ボルト挿通穴３１２を有する。ネジ穴３１１は、天井取付部３００をケース２００に固定するためのネジと螺合する。ネジ穴３１１は、ケース基部２１０のネジ穴２１１の位置に対応する位置に設けられている。ネジ穴３１１に螺合したネジは、ネジ穴２１１にも螺合して、天井取付部３００をケース２００に固定する。
ボルト挿通穴３１２は、アンカーボルト取付方式の場合に、アンカーボルトの先端を挿通するための貫通穴である。ボルト挿通穴３１２は、ケース２００のボルト挿通穴２１２に対応する位置に設けられている。アンカーボルト取付方式において、照明器具１００は、アンカーボルトの先端をボルト挿通穴３１２及びボルト挿通穴２１２に挿通し、アンカーボルトに螺合した２つのナットで、ケース２００及び天井取付部３００を挟むことにより固定される。
取付翼部３２０は、左右に１つずつ、合計２つある。取付翼部３２０は、略長方形板状であり、照明器具１００の幅方向における取付基部３１０の対辺それぞれから連続している。取付翼部３２０は、取付基部３１０に対して略垂直である。取付翼部３２０は、取付基部３１０と、枠取付部３３０とを接続する。
枠取付部３３０は、取付翼部３２０に対応して左右に１つずつ、合計２つある。枠取付部３３０は、略長方形板状であり、取付翼部３２０の取付基部３１０に連続している辺の対辺から連続している。枠取付部３３０は、取付翼部３２０に対して略垂直であり、取付基部３１０に対して略平行である。枠取付部３３０は、枠取付方式において、照明器具１００を取付枠に取り付けるための部分である。枠取付部３３０は、ネジ挿通穴３３１を有する。ネジ挿通穴３３１は、照明器具１００を取付枠に取り付けるためのネジを挿通するための貫通穴である。枠取付け方式において、照明器具１００は、ネジ挿通穴３３１に挿通したネジが取付枠に螺合することにより固定される。
取り付け折曲部３４０は、枠取付部３３０に対応して左右に１つずつ、合計２つある。取り付け折曲部３４０は、略長方形板状であり、枠取付部３３０の取付翼部３２０に連続した辺の対辺から連続している。取り付け折曲部３４０は、枠取付部３３０に対して略垂直であり、取付翼部３２０に対して略平行である。
長手側方覆部３５０は、略長方形板状であり、照明器具１００の長手方向における取付基部３１０の一辺から連続している。長手側方覆部３５０は、取付基部３１０に対して略垂直である。長手側方覆部３５０は、取付翼部３２０に対しても略垂直であり、取付翼部３２０との間に隙間が生じないよう、密着している。長手側方覆部３５０及び取付翼部３２０は、ケース２００とヒートシンク５００との間に形成される空間の長手方向における側方を覆う。
取付接続部３６０は、略長方形板状であり、長手側方覆部３５０の取付基部３１０に連続した辺の対辺の中央付近から連続して、長手側方覆部３５０をそのまま延伸した形状である。取付接続部３６０は、長手側方覆部３５０とカバー固定部３７０とを接続する。
カバー固定部３７０は、略長方形板状であり、取付接続部３６０の長手側方覆部３５０に連続した辺の対辺から連続している。カバー固定部３７０は、カバー６００を天井取付部３００に固定するための部分である。カバー固定部３７０は、例えばネジ穴３７１を有する。ネジ穴３７１は、カバー６００を天井取付部３００に固定するためのネジと螺合する。ネジ穴３７１は、カバー６００の取付固定部６１１に対応する位置に設けられている。取付固定部６１１と螺合したネジがネジ穴３７１とも螺合することにより、カバー６００は、天井取付部３００に対して固定される。
【００１８】
図９は、この実施の形態における照明器具１００の本体部分の構造を示す部分拡大断面図である。
照明器具１００の本体部分は、ケース２００、天井取付部３００、電源部（図示せず）などを有する。
天井取付部３００は、ケース２００の長手方向の端に配置される。ケース２００と天井取付部３００とは、例えば雄ネジ９０２によって固定される。雄ネジ９０２は、ケース２００のケース基部２１０に設けられたネジ穴２１１と、天井取付部３００の取付基部３１０に設けられたネジ穴３１１とに螺合することにより、ケース２００と、天井取付部３００とを固定する。
【００１９】
図１０は、この実施の形態における照明器具１００の本体部分を枠取付方式によって取り付けた様子を示す拡大断面図である。
取付面９５０には、照明器具１００を取り付けるための取付穴９５１が設けられている。取付穴９５１の周囲には、照明器具１００を固定するための取付枠９５２が設けられている。
照明器具１００の本体部分は、例えば木ネジ９１１によって、取付面９５０に取り付けられる。木ネジ９１１は、天井取付部３００の枠取付部３３０に設けられたネジ挿通穴３３１に挿通され、取付枠９５２に螺合することにより、照明器具１００の本体部分を取付枠９５２に固定する。
【００２０】
図１１は、この実施の形態における照明器具１００の本体部分をアンカーボルト取付方式によって取り付けた様子を示す拡大断面図である。
取付面９５０には、照明器具１００を取り付けるための取付穴９５１が設けられている。取付穴９５１の奥にある建築物の躯体９６０には、照明器具１００を固定するためのアンカーボルト９６１が埋め込まれている。
照明器具１００の本体部分は、アンカーボルト９６１に螺合した２つのナット９６２，９６３に挟まれることにより、アンカーボルト９６１に固定される。ナット９６２が螺合したアンカーボルト９６１の先端を、天井取付部３００の取付基部３１０に設けられたボルト挿通穴３１２と、ケース２００のケース基部２１０に設けられたボルト挿通穴２１２とに挿通し、アンカーボルト９６１にナット９６３を螺合して、照明器具１００を固定する。
【００２１】
図１２は、この実施の形態における照明器具１００の光源部分及びカバー部分を示す部分拡大断面図である。
照明器具１００の光源部分は、ヒートシンク５００、光源モジュール８００、反射部４００などを有する。光源モジュール８００は、基板８１０、光源８２０などを有する。反射部４００とヒートシンク５００とは、例えば雄ネジ９０３によって固定される。雄ネジ９０３は、反射部４００の反射固定部４３０（図６参照）と、ヒートシンク５００の放熱基部５１０に設けられたネジ穴５１１（図５参照）とに螺合することにより、反射部４００をヒートシンク５００に固定する。光源モジュール８００は、反射部４００とヒートシンク５００との間に挟まれている。
照明器具１００のカバー部分は、カバー６００、端部カバー７００などを有する。
照明器具１００の光源部分とカバー部分とは、例えば雄ネジ９０４によって固定される。雄ネジ９０４は、ヒートシンク５００の放熱基部５１０に設けられたネジ穴５１２（図５参照）と、端部カバー７００の放熱固定部７５０に設けられたネジ穴７５１（図４参照）とに螺合することにより、ヒートシンク５００と端部カバー７００とを固定する。これにより、照明器具１００の光源部分とカバー部分とが固定される。
【００２２】
図１３は、この実施の形態における照明器具１００を示す部分拡大断面図である。
照明器具１００は、取付面９５０に取り付けられた本体部分に、光源部分が固定されたカバー部分を固定することによって、組み立てられる。カバー部分と本体部分とは、例えば雄ネジ９０５によって固定される。雄ネジ９０５は、カバー６００のカバー基部６１０に設けられた取付固定部６１１と、天井取付部３００のカバー固定部３７０に設けられたネジ穴３７１とに螺合することにより、カバー６００と天井取付部３００とを固定する。これにより、照明器具１００のカバー部分と、本体部分とが固定される。
【００２３】
図１４は、この実施の形態における照明器具１００の周辺における空気の流れを示す図である。
光源８２０で発生した熱は、ヒートシンク５００に伝わり、ヒートシンク５００の周辺の空気を暖める。天井取付部３００は、ヒートシンク５００の長手方向における両端付近を覆っているが、ヒートシンク５００の中央付近は露出している。ヒートシンク５００の周辺の暖められた空気は上昇して、取付面９５０の裏側へ抜けていく。これにより、カバー６００の内側の気圧が下がり、カバー６００のカバー基部６１０に設けられた開口部６１２（図３参照）と、反射部４００との間の隙間から、新鮮な空気が流入する。こうして、光源８２０で発生した熱は、効率よく放熱される。
【００２４】
実施の形態２．
実施の形態２について、図１５を用いて説明する。
なお、実施の形態１と共通する部分については、同一の符号を付し、説明を省略する。
【００２５】
図１５は、この実施の形態における照明器具１００を示す拡大断面図である。
照明器具１００は、長尺形状であり、光源が２列に並んで配置されている。ヒートシンク５００は、断面略切妻屋根状である。反射部４００は、ヒートシンク５００の左右それぞれの屋根斜面に配置されている。
【００２６】
このように、照明器具１００の光源は、１列ではなく、複数列に並んで配置されている構成であってもよい。また、光源は、同じ向きではなく、異なる方向を向いて配置されている構成であってもよい。
また、ヒートシンク５００は、実施の形態１のような断面略コ字状ではなく、この実施の形態のような断面略切妻屋根状やその他の形状であってもよい。
【００２７】
以上説明した照明器具１００は、一例であり、重要でない部分の構成を、既知の構成など他の構成で置き換えた構成としてもよい。
【００２８】
照明器具１００は、複数の機能をもつ部品を一体構成とすることにより、部品の数が減り、取付時の作業効率が高くなる。また、ヒートシンクを効率よく配置することにより、光源の光性能を向上し、寿命を延ばすことができる。
照明器具１００は、アンカーボルト取付方式と、枠取付方式との両方の取付方式による取付が可能である。ＬＥＤなどの光源が実装された基板の放熱用のヒートシンク５００の側面を外部に露出させることにより、放熱効率が高くなる。照明器具１００の長手方向端部を、天井取付部３００がエンクローズすることにより、安全性が向上する。天井取付部３００が、複数の機能を有するので、機能が集約され、コストダウンすることができる。
また、照明器具１００を取付面に取り付ける施工作業は、本体部分をアンカーボルトや取付枠に固定し、光源部分が固定されたカバー部分を本体部分に取り付けるという２つの工程だけで完了する。本体部分・光源部分・カバー部分の組立や、光源部分をカバー部分に固定する作業は、照明器具１００の製造工場内で済ましておくことができる。このため、照明器具１００を現場で取り付ける施工作業の効率が高くなる。
【符号の説明】
【００２９】
１００  照明器具、２００  ケース、２１０  ケース基部、２１１，３１１，３７１，５１１，５１２，７５１  ネジ穴、２１２，３１２  ボルト挿通穴、２２０  ケース翼部、２３０  ケース折曲部、３００  天井取付部、３１０  取付基部、３２０  取付翼部、３３０  枠取付部、３３１  ネジ挿通穴、３４０  取り付け折曲部、３５０  長手側方覆部、３６０  取付接続部、３７０  カバー固定部、４００  反射部、４１０  光源開口部、４２０  反射面部、４３０  反射固定部、５００  ヒートシンク、５１０  放熱基部、５１３  接続挿通穴、５１４  方形開口部、５１５  半長円形開口部、５２０  放熱側部、５２１  幅側方覆部、５２２  先端側部、６００  カバー、６１０  カバー基部、６１１  取付固定部、６１２  開口部、６２０  カバー翼部、６３０  カバー折曲部、７００  端部カバー、７１０  カバー側部、７２０  カバー側翼部、７３０  カバー側底部、７４０  カバー接続部、７５０  放熱固定部、８００  光源モジュール、８１０  基板、８２０  光源、９０１〜９０５  雄ネジ、９１１  木ネジ、９５０  取付面、９５１  取付穴、９５２  取付枠、９６０  躯体、９６１  アンカーボルト、９６２，９６３  ナット。
【図１】
0005523255.tif 000002
【図２】
0005523255.tif 000003
【図３】
0005523255.tif 000004
【図４】
0005523255.tif 000005
【図５】
0005523255.tif 000006
【図６】
0005523255.tif 000007
【図７】
0005523255.tif 000008
【図８】
0005523255.tif 000009
【図９】
0005523255.tif 000010
【図１０】
0005523255.tif 000011
【図１１】
0005523255.tif 000012
【図１２】
0005523255.tif 000013
【図１３】
0005523255.tif 000014
【図１４】
0005523255.tif 000015
【図１５】
0005523255.tif 000016